(57)【要約】【課題】電界強度が強い地域において、地上放送を簡易的に受信するためには室内アンテナを別途設置時する必要がある。また、室内アンテナは地上放送受信機より放射される不要輻射をも受信するため、受信品質の低下を解消する必要がある。【解決手段】地上放送波を受信するチューナーを内蔵する金属筐体３４と筺体底面３７の外側に誘電体３５を挟み平行に配備されたプリント基板３６より成る面状アンテナ３１を一体化して構成することにより、筺体底面がアンテナの接地平板として作用することおよび筺体内部で発生した不要輻射に対する遮蔽板として作用するため、受信性能の劣化を軽減しつつアンテナ内蔵地上放送受信機を構成することができる。【選択図】図３
2006345238.tif 000002
【特許請求の範囲】
【請求項１】
地上放送波を受信するチューナーを内蔵する金属より成る筐体と、
前記筺体の一の面に平行な面状のアンテナ素子を備えたアンテナと、
前記筺体の一の面と前記アンテナとの間に挟まれる誘電体とを一体化して構成し、
前記アンテナの給電部のアースを前記筺体の何れかの面または前記チューナーの入力端子の外部導体でとる構造とする地上放送受信機。
【請求項２】
アンテナは、筺体の一の面を反射板として作用させ、
前記筺体の一の面に垂直な指向性を有するアンテナ素子を備えた請求項１に記載の地上放送受信機。
【請求項３】
アンテナは、筺体の一の面に平行な指向性を有するアンテナ素子を備えた請求項１に記載の地上放送受信機。
【請求項４】
アンテナに対し放送波の到来方向と反対側に筺体の一の面に垂直な金属面を反射板として備えた請求項３に記載の地上放送受信機。
【発明の詳細な説明】
【技術分野】
【０００１】
本発明は、地上放送に用いる受信装置（国際特許分類  Ｈ０４Ｎ１７／００）に関するものである。
【背景技術】
【０００２】
ケーブルテレビを除いて、一般に地上放送を受信する際には、屋外にＶＨＦあるいはＵＨＦ帯受信用アンテナを設置し、同軸ケーブルを介して地上放送受信機と接続するような形態が取られている。特に、放送波の電界強度が強い地域では簡易的に室内用アンテナを用いるようなケースがある。
【０００３】
一方、アンテナをテレビあるいは据置き型地上放送受信機（セットトップボックス）等の地上放送受信機に内蔵して実用化された例はあまりなく、とりわけ、図６に、特許文献１に記載されている従来のアンテナを内蔵したテレビ受像機の例を示す。
【０００４】
図６において、アンテナ構体６２はＵＨＦ帯の放送を受信するための第１のアンテナループ部６３とＶＨＦ帯の放送を受信する第２のアンテナループ部６４をテレビ受像機の筺体６１内に収納されており、各々の放送波受信に合わせ、筺体６１内部から引き出すことにより室内用アンテナとして使用していた。
【特許文献１】特開昭５９−２１２００５号公報
【発明の開示】
【発明が解決しようとする課題】
【０００５】
しかしながら前記従来の構成では、テレビ受像機からアンテナを引き出す必要があるため、作業の面倒さ、アンテナスペースの確保、外観面、安全面で、数々の課題を有していた。また、前記アンテナは放送波の到来方向と垂直な方向に指向性を有するような構成であるため、受信能力が低下する課題も有していた。このため、最終的にはアンテナを別途設置する必要があるという問題点を有していた。
【０００６】
さらに、受像機内部の電源や電子回路で生じる様々な周波数成分を有する不要輻射を受信し、チューナーに混入することになるため、一般的な室内アンテナと同様に受信品質の低下あるいは受信不能となる問題点を有していた。
【０００７】
本発明は、前記従来の問題点を解決するもので、アンテナを別途設置する必要がなくなるり、不要輻射による受信品質の低下を軽減させる地上放送受信機を提供することを目的とする。
【課題を解決するための手段】
【０００８】
前記従来の課題を解決するために、本発明の地上放送受信機は、地上放送波を受信するチューナーを内蔵する金属より成る筐体と、前記筺体の一の面に平行な面状のアンテナ素子を備えたアンテナと、前記筺体の一の面と前記アンテナとの間に挟まれる誘電体とを一体化して構成し、前記アンテナの給電部のアースを前記筺体の何れかの面または前記チューナーの入力端子の外部導体でとる構造とすることを特徴とする。
【０００９】
また、アンテナは、筺体の一の面を反射板として作用させ、前記筺体の一の面に垂直な指向性を有するアンテナ素子を備えたことを特徴とする。
【００１０】
さらに、アンテナは、筺体の一の面に平行な指向性を有するアンテナ素子を備えたことを特徴とする。
【００１１】
また、アンテナに対し放送波の到来方向と反対側に筺体の一の面に垂直な金属面を反射板として備えたことを特徴とする。
【００１２】
これにより、地上放送受信機部の筺体面を反射板および遮蔽板として利用することができるため、地上放送受信機部とアンテナ部を一体化させ、放送電波を効率良く且つ劣化少なく受信することができる。
【発明の効果】
【００１３】
本発明の地上放送受信機によれば、従来の地上放送受信機にアンテナを一体化させる構成とすることにより、アンテナを別途設置する必要がなくなり、不要輻射による受信品質の低下を軽減させる地上放送受信機を提供することができる。
【発明を実施するための最良の形態】
【００１４】
以下本発明を実施するための最良の形態について、図面を参照しながら説明する。
（実施の形態１）
図１は、本発明の実施の形態１における地上放送受信機の斜視図、図２は実施の形態１における地上放送受信機の断面図である。図１および図２において、地上放送波を受信するチューナーを内蔵する金属より成る筐体１４の底面１６の外側に誘電体１５を挟み平行な面状（プレーナー状）のアンテナ素子１１で構成されるアンテナが配備されおり、アンテナ給電部は同軸ケーブル１３を介し、筺体１４内のチューナー入力端子と接続されている。この場合、アースはチューナー入力端子の外部導体あるいは筺体面で取るような構造を備えている。アンテナは受信機部と一体化して構成されている。
【００１５】
また、アンテナはプリント基板１６から成り、例えば図示したループアンテナ等、筺体底面１７と垂直な方向に指向性を有する形状のものを備え、誘電体カバー１２で覆われている。
【００１６】
かかる構成によれば、アンテナ素子１１と筺体底面１７の間に誘電体１５を挟む構造とすることで、前記誘電体の波長短縮効果が見込まれるため、アンテナを適度に小型化でき、且つその厚みを調整することにより、前記筺体底面１７を反射板あるいは接地平板として作用させ、アンテナ利得を向上させることができる。
【００１７】
また、チューナー等の電子部品を内蔵した筺体１４内部で発生する不要輻射成分は放熱のために設けられている筺体天面１８のスリット等の孔および筺体側面に設けられたパネル面から主に放射する。したがって、筺体底面１７の裏側にアンテナを構成することにより、アンテナの性能を向上させる効果に加えて、不要輻射に対する遮蔽効果が生まれ、受信性能の劣化を軽減することができる。
【００１８】
また、アンテナは、前記筺体面に対し、誘電体を介して平行に配置することにより一種のマイクロストリップ線路の構造を有した進行波受信型アンテナとしての構成も可能である。本発明の地上放送受信機は縦置きにすることができ、主に地上放送用として用いられる水平偏波を受信することを可能とする。
【００１９】
なお、本実施の形態において、アンテナ素子はプリント基板の代わりに金属線材で形成しても良い。
【００２０】
また、アンテナ給電部と同軸ケーブルの間には整合のために、コイルまたはコンデンサから成るインピーダンス変成器を挿入しても良い。
（実施の形態２）
図３、図４および図５は、本発明の実施の形態２における地上放送受信機の斜視図である。
【００２１】
図３において、全体的な構造は図１と同様である。ここで、金属筺体３４の天面３８は図中下側となる。プリント基板３６から成るアンテナ素子３１は、所定角度でジグザグに曲げることにより構成され、アンテナ給電部は同軸ケーブル３３を介してチューナー入力端子３２と接続されている。
【００２２】
かかる構成によれば、進行波型アンテナを備えることにより、図中左方向（放送波の到来方向）に指向性を有することができるため本発明の地上放送受信機を実施の形態１に記した縦置きではなく、一般的に用いられている横置きとすることができる。ただし、実際には、天面からの放熱を考慮すると上下逆さまにして設置されることになる。
【００２３】
また、図４に示すように、筺体底面４７と垂直な金属板４９を筺体４４の側面と同一面上に備えることにより、反射板付きアンテナを構成することができるため、アンテナ利得を向上させることができる。
【００２４】
また、図５に示すように、進行波型アンテナとして八木型アンテナ５１等の構成を用いても良い。
【００２５】
なお、実施の形態１と同様、アンテナ素子はプリント基板の代わりに金属線材で形成しても良い。
【００２６】
また、アンテナ給電部と同軸ケーブルの間には整合のために、コイルまたはコンデンサから成るインピーダンス変成器を挿入しても良い。
【産業上の利用可能性】
【００２７】
本発明における地上放送受信機は、受信アンテナを別途設置することが不要となるので、電界強度が強い地域での簡易的な受信手段として有用である。
【図面の簡単な説明】
【００２８】
【図１】本発明の実施の形態１における地上放送受信機の斜視図
【図２】本発明の実施の形態１における地上放送受信機の断面図
【図３】本発明の実施の形態２における地上放送受信機の斜視図
【図４】本発明の実施の形態２における地上放送受信機の斜視図
【図５】本発明の実施の形態２における地上放送受信機の斜視図
【図６】従来のテレビ受像機の斜視図
【符号の説明】
【００２９】
１０    地上放送受信機
１１    アンテナ素子
１２    誘電体カバ−
１３    同軸ケーブル
１４    金属筺体
１５    誘電体
１６    プリント基板
１７    筺体底面
１８    筺体天面
３０    地上放送受信機
３１    アンテナ素子
３２    チューナー入力端子
３３    同軸ケーブル
３４    金属筺体
３５    誘電体
３６    プリント基板
３７    筺体底面
３８    筺体天面
４０    地上放送受信機
４１    アンテナ素子
４２    チューナー入力端子
４３    同軸ケーブル
４４    金属筺体
４７    筺体底面
４８    筺体天面
４９    筺体底面と垂直な金属板
５０    地上放送受信機
５１    八木型アンテナ
５２    同軸ケーブル
【図１】
2006345238.tif 000003
【図２】
2006345238.tif 000004
【図３】
2006345238.tif 000005
【図４】
2006345238.tif 000006
【図５】
2006345238.tif 000007
【図６】
2006345238.tif 000008